(57)【要約】【課題】ビーコン情報による顧客の誘導効果を向上させる。【解決手段】デジタルサイネージ装置１によれば、複数種類のクーポン情報に対応する複数種類のビーコン情報をブロードキャストするビーコン発信部３１を備え、制御部２３は、ビーコン発信部３１において複数種類のビーコン情報のそれぞれをブロードキャストする際の送信条件をブロードキャストするビーコン情報に応じて変更する。【選択図】図５
2017156857.tif 000002
【特許請求の範囲】
【請求項１】
複数種類のクーポン情報に対応する複数種類のビーコン情報をブロードキャストする送信手段と、
前記送信手段により前記複数種類のビーコン情報のそれぞれをブロードキャストする際の送信条件をブロードキャストするビーコン情報に応じて変更する送信条件変更手段と、
を備えるビーコン送信装置。
【請求項２】
前記複数種類のクーポン情報は、割引率の異なる複数のクーポン情報であり、
前記送信条件は、前記ビーコン情報の送信強度であり、
前記送信条件変更手段は、前記ブロードキャストするビーコン情報に対応するクーポン情報の割引率が高いほど、前記送信手段による前記ビーコン情報の送信強度を低い強度に変更する請求項１に記載のビーコン送信装置。
【請求項３】
前記複数種類のクーポン情報は、対象商品が異なる複数のクーポン情報であり、
前記送信条件は、前記ビーコン情報の送信強度であり、
前記送信条件変更手段は、前記ブロードキャストするビーコン情報に対応するクーポン情報の対象商品に応じて、前記送信手段による前記ビーコン情報の送信強度を変更する請求項１に記載のビーコン送信装置。
【請求項４】
前記ビーコン送信装置は、コンテンツを表示する表示装置に備えられており、
前記送信条件変更手段は、一つのコンテンツが表示されている期間に前記複数種類のビーコン情報のそれぞれをブロードキャストする際の送信条件をブロードキャストするビーコン情報に応じて変更することを特徴とする請求項１〜３の何れか一項に記載のビーコン送信装置。
【請求項５】
前記クーポン情報には、前記表示装置に近づくことにより更に有益なクーポン情報が得られることを通知する通知情報が含まれる請求項４に記載のビーコン送信装置。
【請求項６】
前記通知情報は、所定の閾値より高い送信強度で送信されるビーコン情報に対応するクーポン情報に含まれる請求項５に記載のビーコン送信装置。
【請求項７】
ビーコン情報を受信する受信手段と、  
前記ビーコン情報の受信時の受信強度を検出する検出手段と、  
前記ビーコン情報及び前記受信強度に応じて異なるクーポン情報を取得する取得手段と、
を備える通信装置。
【請求項８】
前記取得手段は、前記受信強度が高いほど、割引率の高いクーポン情報を取得する請求項７に記載の通信装置。
【請求項９】
前記取得手段は、前記受信強度に応じて異なる対象商品のクーポン情報を取得する請求項７に記載の通信装置。
【請求項１０】
前記ビーコン情報は、コンテンツを表示する表示装置に備えられたビーコン送信装置から発信されたものであり、
前記クーポン情報には、前記表示装置に近づくことにより更に有益なクーポン情報が得られることを通知する通知情報が含まれる請求項７〜９の何れか一項に記載の通信装置。
【請求項１１】
前記通知情報は、所定の閾値より低い受信強度に応じて取得されるクーポン情報に含まれる請求項１０に記載の通信装置。
【請求項１２】
複数種類のクーポン情報に対応する複数種類のビーコン情報をブロードキャストする際の送信条件をブロードキャストするビーコン情報に応じて変更する工程と、
前記変更した送信条件で前記複数種類のビーコン情報をブロードキャストする工程と、
を含むビーコン送信方法。
【請求項１３】
ビーコン情報を受信する工程と、  
前記ビーコン情報の受信時の受信強度を検出する工程と、  
前記ビーコン情報及び前記受信強度に応じて異なるクーポン情報を取得する工程と、
を含むクーポン取得方法。
【請求項１４】
コンピュータを、
複数種類のクーポン情報に対応する複数種類のビーコン情報をブロードキャストする送信手段、
前記送信手段により前記複数種類のビーコン情報をブロードキャストする際の送信条件をブロードキャストするビーコン情報に応じて変更する送信条件変更手段、
として機能させるためのプログラム。
【請求項１５】
コンピュータを、
ビーコン情報を受信する受信手段、  
前記ビーコン情報の受信時の受信強度を検出する検出手段、  
前記ビーコン情報及び前記受信強度に応じて異なるクーポン情報を取得する取得手段、
として機能させるためのプログラム。
【発明の詳細な説明】
【技術分野】
【０００１】
本発明は、ビーコン送信装置、通信装置、ビーコン送信方法、クーポン取得方法及びプログラムに関する。
【背景技術】
【０００２】
近年、顧客の来店を促すために、例えば、コンテンツを表示するデジタルサイネージ装置にビーコン送信部を備え、デジタルサイネージ装置で表示された広告や案内等のコンテンツに関連する情報に対応するＩＤ情報を含むビーコン情報をビーコン送信部より送信し、ビーコン情報を受信した通信装置にクーポン等を提供するシステムが知られている。
【先行技術文献】
【特許文献】
【０００３】
【特許文献１】特開２０１５−２２２８８０号公報
【発明の概要】
【発明が解決しようとする課題】
【０００４】
しかし、特許文献１においては、ビーコン情報を近くで受信しても遠くで受信しても顧客が取得できる情報は一律であり、遠くでビーコン情報を受信した場合に、デジタルサイネージ装置の近くに来るまでに至らない場合があった。
【０００５】
本発明の課題は、ビーコン情報による顧客の誘導効果を向上させることである。
【課題を解決するための手段】
【０００６】
上記課題を解決するため、本発明のビーコン送信装置は、
複数種類のクーポン情報に対応する複数種類のビーコン情報をブロードキャストする送信手段と、
前記送信手段により前記複数種類のビーコン情報のそれぞれをブロードキャストする際の送信条件をブロードキャストするビーコン情報に応じて変更する送信条件変更手段と、
を備える。
【０００７】
また、本発明の通信装置は、
ビーコン情報を受信する受信手段と、  
前記ビーコン情報の受信時の受信強度を検出する検出手段と、  
前記ビーコン情報及び前記受信強度に応じて異なるクーポン情報を取得する取得手段と、
を備える。
【発明の効果】
【０００８】
本発明によれば、ビーコン情報による顧客の誘導効果を向上させることができる。
【図面の簡単な説明】
【０００９】
【図１】本実施形態におけるクーポン付与システムの全体構成を示す図である。
【図２】図１のデジタルサイネージ装置の機能的構成を示すブロック図である。
【図３】第１の実施形態におけるスクリーン部の概略構成を示す図である。
【図４】図１の携帯端末の機能的構成を示すブロック図である。
【図５】図２の制御部により実行されるビーコン情報送信処理Ａを示すフローチャートである。
【図６】図４の制御部により実行されるクーポン表示処理Ａを示すフローチャートである。
【図７】第１の実施形態におけるクーポン付与システムの動作イメージの一例を示す図である。
【図８】第２の実施形態におけるスクリーン部の概略構成を示す図である。
【図９】図２の制御部により実行されるビーコン情報送信処理Ｂを示すフローチャートである。
【図１０】図４の制御部により実行されるクーポン表示処理Ｂを示すフローチャートである。
【図１１】第２の実施形態におけるクーポン付与システムの動作イメージの一例を示す図である。
【発明を実施するための形態】
【００１０】
＜第１の実施形態＞
以下、添付図面を参照して本発明に係る第１の実施形態を詳細に説明する。以下の実施形態では、本発明に係るビーコン送信装置をデジタルサイネージ装置１に適用した場合を例にとり説明する。なお、本発明は、図示例に限定されるものではない。
【００１１】
［クーポン付与システム１００の構成］
図１は、本発明の実施形態におけるクーポン付与システム１００の全体構成を示す図である。クーポン付与システム１００は、店舗に設置されたデジタルサイネージ装置１のビーコン発信部３１の通信エリア内に入った携帯端末２のユーザ（顧客）にクーポン情報を付与するシステムである。クーポン付与システム１００は、図１に示すように、デジタルサイネージ装置１、携帯端末２、サーバ装置３を備えて構成されている。デジタルサイネージ装置１のビーコン発信部３１と携帯端末２は、Bluetooth（登録商標）による近距離無線通信が可能である。また、携帯端末２とサーバ装置３は、無線ＬＡＮ（Local Area Network）、移動体通信網、インターネット等を含む通信ネットワークＮを介して通信接続可能である。なお、デジタルサイネージ装置１及び携帯端末２の台数は特に限定されない。
【００１２】
［デジタルサイネージ装置１の構成］
図２は、本実施形態におけるデジタルサイネージ装置１の主制御構成を示すブロック図である。図３は、図２のスクリーン部２２の概略構成を示す正面図である。デジタルサイネージ装置１は、例えば、店舗等に設置され、顧客に対して商品説明等のコンテンツを出力する装置である。
【００１３】
図２に示すように、デジタルサイネージ装置１は、コンテンツの映像光を照射する投影部２１と、投影部２１から照射された映像光を背面で受けて前面に投影するスクリーン部２２とを備えている。
【００１４】
まず、投影部２１について説明する。
投影部２１は、制御部２３と、プロジェクタ２４と、記憶部２５と、通信部２６と、を備えている。プロジェクタ２４、記憶部２５、通信部２６は、図２に示すように制御部２３に接続されている。
【００１５】
制御部２３は、記憶部２５に記憶されている各種のプログラムを実行して所定の演算や各部の制御を行うＣＰＵ（Central Processing Unit）とプログラム実行時の作業領域となるメモリとを備えている（いずれも図示略）。制御部２３は、記憶部２５のプログラム記憶部２５１に記憶されているプログラムとの協働により、後述するビーコン情報送信処理Ａを実行し、送信条件変更手段として機能する。
【００１６】
プロジェクタ２４は、制御部２３から出力されたコンテンツの画像データを映像光に変換してスクリーン部２２に向けて照射する投影装置である。プロジェクタ２４は、例えば、アレイ状に配列された複数個（ＸＧＡの場合、横１０２４画素×縦７６８画素）の微小ミラーの各傾斜角度を個々に高速でオン／オフ動作して表示動作することでその反射光により光像を形成する表示素子であるＤＭＤ（デジタルマイクロミラーデバイス）を利用したＤＬＰ（Digital Light Processing）(登録商標)プロジェクタが適用可能である。
【００１７】
記憶部２５は、ＨＤＤ（Hard Disk Drive）や不揮発性の半導体メモリ等により構成される。記憶部２５には、図２に示すように、プログラム記憶部２５１、コンテンツ記憶部２５２、ビーコン設定情報記憶部２５３が設けられている。
【００１８】
プログラム記憶部２５１には、制御部２３で実行されるシステムプログラムや各種処理プログラム、これらのプログラムの実行に必要なデータ等が記憶されている。
【００１９】
コンテンツ記憶部２５２には、コンテンツを識別するためのコンテンツＩＤに対応付けて、デジタルサイネージ装置１でコンテンツを出力するためのコンテンツ情報（コンテンツデータ）が記憶されている。コンテンツ情報は、例えば、複数のフレーム画像により構成される動画データ及び各フレーム画像に対応する音声データにより構成されていることとするが、画像データ（静止画データ又は動画データ）のみで構成されるものであってもよい。
【００２０】
ビーコン設定情報記憶部２５３には、コンテンツＩＤに対応付けて、そのコンテンツの出力時にビーコン発信部３１の第１のビーコン３１１〜第３のビーコン３１３（図３参照）のそれぞれに設定するＩＤ情報及び送信強度（送信電波強度）が記憶されている。ＩＤ情報は、そのコンテンツ出力時に携帯端末２に提供するクーポン情報の種類を識別するための識別情報である。ビーコン設定情報記憶部２５３においては、第１のビーコン３１１〜第３のビーコン３１３のそれぞれに対して、互いに異なるＩＤ情報及び互いに異なる送信強度が対応付けて記憶されている。割引率の高いクーポン情報のＩＤ情報が設定されるビーコンには、低い送信強度が対応付けられている。割引率の低いクーポン情報のＩＤ情報が設定されるビーコンには、高い送信強度が対応付けられている。即ち、デジタルサイネージ装置１に近いほど割引率が高いクーポン情報に対応するビーコン情報が受信できるようになっている。
【００２１】
本実施形態において、第１のビーコン３１１には、コンテンツで紹介している商品の最も高い割引率（例えば、割引率５０％）のクーポン情報を示すＩＤ情報及び最も低い送信強度（例えば、低、中、高のうち低）が対応付けて記憶されている。第２のビーコン３１２には、第１のビーコン３１１よりも低く第３のビーコン３１３よりも高い割引率（例えば、割引率４０％）のクーポン情報を示すＩＤ情報、及び第１のビーコン３１１よりも高く第３のビーコン３１３よりも低い送信強度（例えば、低、中、高のうち中）が対応付けて記憶されている。第３のビーコン３１３には、最も低い割引率（例えば、割引率３０％）のクーポン情報を示すＩＤ情報及び最も高い送信強度（例えば、低、中、高のうち高）が対応付けて記憶されている。
【００２２】
また、記憶部２５には、コンテンツの再生スケジュール等が記憶されている。
【００２３】
通信部２６は、モデム、ルータ、ネットワークカード等により構成され、通信ネットワークＮを介して外部機器との通信を行う。
【００２４】
次に、スクリーン部２２について説明する。
スクリーン部２２には、図３に示すように、画像形成部２７と、画像形成部２７を支持する台座２８とが備えられている。
【００２５】
画像形成部２７は、映像光の照射方向に対して略直交するように配置された、例えばアクリル板などの人型に成形された一枚の透光板２９に、フィルム状のフレネルレンズが積層された背面投影用のフィルムスクリーン２９１や予め人物が印刷されたフィルム２９２が貼付されて構成されたスクリーンである。プロジェクタ２４は、画像形成部２７のフィルムスクリーン２９１が貼付された領域に画像を投影する。なお、透光板２９全体にフィルムスクリーン２９１を貼付した構成とし、人物についても投影を行うこととしてもよい。画像形成部２７は、コンテンツを表示する表示装置を構成している。
【００２６】
台座２８には、ビーコン発信部３１と、ボタン式の操作部３２と、音声を出力するスピーカなどの音声出力部３３とが設けられている。
【００２７】
ビーコン発信部３１は、Bluetooth Low Energy（ＢＬＥ）の通信方式により、予め設定された送信強度で予め設定されたＩＤ情報を含むビーコン情報を所定時間毎にブロードキャストするビーコン送信装置である。第１の実施形態において、ビーコン発信部３１は、第１のビーコン３１１、第２のビーコン３１２、第３のビーコン３１３の３つのビーコンを備えて構成されている。
【００２８】
ビーコン発信部３１、操作部３２、音声出力部３３は、図２に示すように制御部２３に接続されている。
【００２９】
［携帯端末２の構成］
図４は、携帯端末２の主制御構成を示すブロック図である。携帯端末２は、顧客が携帯しているスマートフォンや携帯電話機等の通信装置であり、図４に示すように、制御部２０１、記憶部２０２、操作部２０３、表示部２０４、通信部２０５、ビーコン受信部２０６、計時部２０７等を備えて構成されている。
【００３０】
制御部２０１は、記憶部２０２のプログラム記憶部２２１に記憶されている各種のプログラムを実行して所定の演算や各部の制御を行うＣＰＵとプログラム実行時の作業領域となるメモリとを備えている（いずれも図示略）。制御部２０１は、記憶部２０２のプログラム記憶部２２１に記憶されているアプリケーションプログラムとの協働により、クーポン表示処理Ａを始めとする各種処理を実行する。
【００３１】
記憶部２０２は、不揮発性の半導体メモリ等により構成される。記憶部２０２には、図４に示すように、プログラム記憶部２２１が設けられている。プログラム記憶部２２１には、制御部２０１で実行されるシステムプログラム、後述するクーポン表示処理Ａを実行するためのアプリケーションプログラム（ビーコンアプリと呼ぶ）、これらのプログラムの実行に必要なデータ等が記憶されている。
【００３２】
操作部２０３は、各種機能キーを備え、ユーザによる各キーの押下入力を受け付けてその操作情報を制御部２０１に出力する。また、操作部２０３は、表示部２０４の表面を覆うように透明電極を格子状に配置したタッチパネル等を有し、手指やタッチペン等で押下された位置を検出し、その位置情報を操作情報として制御部２０１に出力する。  
【００３３】
表示部２０４は、ＬＣＤ（Liquid Crystal Display）等により構成され、制御部２０１からの表示制御信号に従って、画面上に各種表示を行う。
【００３４】
通信部２０５は、無線により基地局又はアクセスポイントを介して通信ネットワークＮに接続し、通信ネットワークＮに接続された外部機器との通信を行う。
【００３５】
ビーコン受信部２０６は、Bluetooth Low Energy（ＢＬＥ）の通信方式により、例えば、デジタルサイネージ装置１のビーコン発信部３１等の外部のビーコン送信装置と近距離無線通信を行い、ビーコン送信装置から送信されたビーコン情報を受信する。また、ビーコン受信部２０６は、受信したBluetooth通信の電波の電波強度を検出し、その検出情報を制御部２０１に出力する機能を有する。
【００３６】
計時部２０７は、ＲＴＣ（Real Time Clock）等により構成され、現在日時を取得して制御部２０１に出力する。
【００３７】
［サーバ装置３の構成］
サーバ装置３は、制御部、記憶部、操作部、表示部、通信部等を備えたコンピュータ装置である。サーバ装置３の記憶部には、ＩＤ情報と、そのＩＤ情報を含むビーコン情報を受信した携帯端末２に提供するクーポン情報と、が対応付けて記憶されている。サーバ装置３は、携帯端末２からＩＤ情報及び当該ＩＤ情報に応じたクーポンの送信要求を受信すると、記憶部を参照し、ＩＤ情報に応じたクーポン情報を読み出して携帯端末２に送信する。
【００３８】
［クーポン付与システム１００の動作］
次に、第１の実施形態におけるクーポン付与システム１００の動作について説明する。
まず、デジタルサイネージ装置１の動作について説明する。
図５は、デジタルサイネージ装置１において実行されるビーコン情報送信処理Ａのフローチャートである。ビーコン情報送信処理Ａは、デジタルサイネージ装置１の電源がＯＮとなった際に、制御部２３とプログラム記憶部２５１に記憶されているプログラムとの協働により実行される。
【００３９】
まず、制御部２３は、スケジュールに従って、プロジェクタ２４及び音声出力部３３によりコンテンツの出力を開始する（ステップＳ１）。例えば、制御部２３は、予め定められたスケジュールに従ってコンテンツ記憶部２５２に記憶されているコンテンツ情報を読み出し、読み出したコンテンツ情報の動画データに基づいてプロジェクタ２４により画像形成部２７にコンテンツの画像を投影（表示）させる。また、読み出した動画データの音声データに基づいて音声出力部３３によりコンテンツの音声を出力させる。
【００４０】
次いで、制御部２３は、ビーコン設定情報記憶部２５３を参照し、ビーコン発信部３１の各ビーコンにコンテンツに応じたＩＤ情報及び送信強度を設定する（ステップＳ２）。ステップＳ２の処理により、第１のビーコン３１１〜第３のビーコン３１３には異なるＩＤ情報及び異なる送信強度が設定されるので、ビーコン情報をブロードキャストする際の送信強度をビーコン情報（に含まれるＩＤ情報）に応じて変更することができる。
【００４１】
次いで、制御部２３は、第１のビーコン３１１により、設定したＩＤ情報を含むビーコン情報を設定した送信強度でブロードキャストさせる（ステップＳ３）。即ち、第１のビーコン３１１により、出力されているコンテンツに関連する商品の割引率５０％のクーポン情報に対応するビーコン情報が送信強度：低でブロードキャストされる。
【００４２】
次いで、制御部２３は、第２のビーコン３１２により、設定したＩＤ情報を含むビーコン情報を設定した送信強度でブロードキャストさせる（ステップＳ４）。即ち、第２のビーコン３１２により、出力されているコンテンツに関連する商品の割引率４０％のクーポン情報に対応するビーコン情報が送信強度：中でブロードキャストされる。
【００４３】
次いで、制御部２３は、第３のビーコン３１３により、設定したＩＤ情報を含むビーコン情報を設定した送信強度でブロードキャストさせる（ステップＳ５）。即ち、第３のビーコン３１３により、出力されているコンテンツに関連する商品の割引率３０％のクーポン情報に対応するビーコン情報が送信強度：高でブロードキャストされる。
【００４４】
次いで、制御部２３は、コンテンツが終了したか否かを判断する（ステップＳ６）。コンテンツが終了していないと判断した場合（ステップＳ６；ＮＯ）、制御部２３は、ステップＳ３に戻り、ステップＳ３〜ステップＳ５を繰り返し実行する。コンテンツが終了したと判断した場合（ステップＳ６；ＹＥＳ）、制御部２３は、ステップＳ１に戻る。
【００４５】
制御部２３は、デジタルサイネージ装置１の電源がＯＮの間、ステップＳ１〜ステップＳ６の処理を繰り返し実行する。
【００４６】
次に、携帯端末２の動作について説明する。
図６は、携帯端末２において実行されるクーポン表示処理Ａのフローチャートである。クーポン表示処理Ａは、携帯端末２の電源がＯＮとなった際に、制御部２０１とプログラム記憶部２２１に記憶されているビーコンアプリとの協働により実行される。
【００４７】
まず、制御部２０１は、ビーコン受信部２０６によりビーコン情報が受信されるのを待機する。
ビーコン受信部２０６によりビーコン情報が受信されると（ステップＳ１１；ＹＥＳ）、制御部２０１は、受信したビーコン情報に含まれる少なくともＩＤ情報を通信部２０５によりサーバ装置３に送信し、クーポン情報の送信要求を行う（ステップＳ１２）。
【００４８】
次いで、制御部２０１は、通信部２０５によりサーバ装置３からのクーポン情報が受信されるのを待機する（ステップＳ１３）。
通信部２０５によりサーバ装置３からのクーポン情報が受信されたと判断した場合（ステップＳ１３；ＹＥＳ）、制御部２０１は、受信したクーポン情報を表示部２０４に表示させ（ステップＳ１４）、ステップＳ１１に戻る。
なお、表示されたクーポン情報は、操作部２０３からの操作に応じて記憶部２０２に記憶される。
【００４９】
制御部２０１は、携帯端末２の電源がＯＮの間、ステップＳ１１〜ステップＳ１４の処理を繰り返し実行する。
【００５０】
図７は、第１の実施形態におけるクーポン付与システム１００の動作イメージの一例を示す図である。
上述のように、第１のビーコン３１１の送信強度＜第２のビーコン３１２の送信強度＜第３のビーコン３１３の送信強度である。即ち、第３のビーコン３１３からのビーコン情報の届く距離＞第２のビーコン３１２からのビーコン情報が届く距離＞第１のビーコン３１１からのビーコン情報の届く距離である。
【００５１】
顧客である携帯端末２のユーザがデジタルサイネージ装置１に近づくと、携帯端末２は、まず、第３のビーコン３１３からブロードキャストされたビーコン情報を受信し、サーバ装置３からビーコン情報に含まれるＩＤ情報に対応するクーポン情報を受信して、図７に示すように、３０％割引のクーポンを表示部２０４に表示する。ここで、クーポン情報には、「サイネージに近づくともっとお得な情報がありますよ。」という、デジタルサイネージ装置１に近づくことにより更に有益なクーポン情報が得られることを通知する通知情報が含まれており、表示部２０４には、併せてこの通知情報が表示される。
【００５２】
携帯端末２のユーザが更にデジタルサイネージ装置１に近づくと、携帯端末２は、第２のビーコン３１２からブロードキャストされたビーコン情報を受信し、サーバ装置３からビーコン情報に含まれるＩＤ情報に対応するクーポン情報を受信して、図７に示すように、４０％割引のクーポンを表示部２０４に表示する。ここで、クーポン情報には、「サイネージに近づくともっとお得な情報がありますよ。」という、デジタルサイネージ装置１に近づくことにより更に有益なクーポン情報が得られることを通知する通知情報が含まれており、表示部２０４には、併せてこの通知情報が表示される。
【００５３】
携帯端末２のユーザが更にデジタルサイネージ装置１に近づくと、携帯端末２は、第１のビーコン３１１からブロードキャストされたビーコン情報を受信し、サーバ装置３からビーコン情報に含まれるＩＤ情報に対応するクーポン情報を受信して、図７に示すように、５０％割引のクーポンを表示部２０４に表示する。ここで、クーポン情報には、「サイネージの案内でもっとお得な情報があります。ぜひご覧ください！」という、デジタルサイネージ装置１に近づくことにより更に有益なクーポン情報が得られることを通知する通知情報が含まれており、表示部２０４には、併せてこの通知情報が表示される。
【００５４】
このように、携帯端末２がデジタルサイネージ装置１に近づくにつれて、更に有益なクーポン情報が取得できるので、従来のように一律なビーコン情報をブロードキャストする場合に比べて、顧客である携帯端末２のユーザにデジタルサイネージ装置１の近くに来てもらうことが可能となり、デジタルサイネージ装置１への顧客の誘導効果を向上させることができる。
【００５５】
なお、上記第１の実施形態においては、デジタルサイネージ装置１のビーコン発信部３１が発するビーコン情報に含まれるＩＤ情報に対応するクーポン情報に応じて、ビーコン情報の送信条件のうち送信強度を変更することとしたが、ビーコン情報の送信方向を変えることとしてもよい。例えば、割引率が高いクーポン情報ほどデジタルサイネージ装置１の正面付近の方向に送信されるように送信方向を変更するようにしてもよい。これにより、携帯端末２のユーザにデジタルサイネージ装置１の正面近くに来てもらうように誘導することが可能となる。
【００５６】
また、上記第１の実施形態においては、クーポン情報の割引率に応じてビーコン情報の送信条件（送信強度や送信方向）を変える場合を例にとり説明したが、これに限定されず、例えば、対象商品（割引の対象商品）が異なる複数種類のクーポン情報を用意し、対象商品に対応するビーコン情報毎に送信条件を変えることとしてもよい。これにより、携帯端末２のユーザにとってデジタルサイネージ装置１に近づくことで割引できる商品の幅が広がるので、ユーザにデジタルサイネージ装置１の近くに来てもらうことができる。なお、この場合においても、クーポン情報には、「サイネージに近づくとよりお得な情報がありますよ。」等の、デジタルサイネージ装置１に近づくことにより更に有益なクーポン情報が得られることを通知する通知情報を含むことが好ましい。
【００５７】
また、上記第１の実施形態においては、デジタルサイネージ装置１に３つのビーコンが備えられていることとして説明したが、１つのビーコンとし、ビーコン情報をブロードキャストする際に、その都度ビーコン情報に含めるＩＤ情報及び送信強度を変更してからブロードキャストを行うこととしてもよい。
【００５８】
また、第１の実施形態では、全てのクーポン情報に通知情報を含めることとして説明したが、通知情報は、デジタルサイネージ装置１に近づくことにより別のクーポン情報が得られる場合、例えば、送信強度が予め定められた閾値より高い場合（即ち、携帯端末２が予め定められた閾値よりも離れている場合）のＩＤ情報に対応するクーポン情報に含まれるようにすることが好ましい。
【００５９】
＜第２の実施形態＞
以下、添付図面を参照して本発明に係る第２の実施形態を詳細に説明する。以下の実施形態では、本発明に係る通信装置を携帯端末２に適用した場合を例にとり説明する。なお、本発明は、図示例に限定されるものではない。
【００６０】
第２の実施形態におけるクーポン付与システム１００の構成は、第１の実施形態で図１を用いて説明したものと同様であるが、各装置において以下の点が異なる。
【００６１】
第２の実施形態において、デジタルサイネージ装置１のビーコン発信部３１は、図８に示すように、１つのビーコン３１４を備えて構成されている。ビーコン３１４には、予め定められた送信強度が設定されている。
【００６２】
また、デジタルサイネージ装置１のプログラム記憶部２５１には、図９に示すビーコン送信処理Ｂを実行するためのプログラムが記憶されている。また、ビーコン設定情報記憶部２５３には、コンテンツＩＤに対応付けて、そのコンテンツの出力時にビーコン発信部３１のビーコン３１４に設定するＩＤ情報が記憶されている。
【００６３】
また、携帯端末２のプログラム記憶部２２１には、図１０に示すクーポン表示処理Ｂを実行するためのビーコンアプリが記憶されている。携帯端末２の制御部２０１は、ビーコンアプリとの協働により、取得手段として機能する。
また、携帯端末２のビーコン受信部２０６は、受信手段、検出手段として機能する。
【００６４】
また、サーバ装置３の記憶部には、ＩＤ情報及び受信強度と、そのＩＤ情報を含むビーコン情報をその受信強度で受信した携帯端末２に提供するクーポン情報と、が対応付けて記憶されている。第２の実施形態において、サーバ装置３の記憶部には、各ＩＤ情報に対し、受信強度に応じて異なる割引率のクーポン情報が対応付けられている。具体的には、受信強度が高いほど高い割引率のクーポン情報が対応付けられ、受信強度が低いほど低い割引率のクーポン情報が対応付けられている。本実施形態においては、受信強度：低には割引率３０％のクーポン情報が対応付けられ、受信強度：中には割引率４０％のクーポン情報が対応付けられ、受信強度：高には割引率５０％のクーポン情報が対応付けられている。
サーバ装置３は、携帯端末２からＩＤ情報及び受信強度を受信して、クーポンの送信要求を受信すると、記憶部を参照し、ＩＤ情報及び受信強度に応じたクーポン情報を読み出して携帯端末２に送信する。
【００６５】
その他構成については、第１の実施形態で説明したものと同様であるので説明を援用する。
【００６６】
次に、第２の実施形態におけるクーポン付与システム１００の動作について説明する。
まず、デジタルサイネージ装置１の動作について説明する。
図９に、デジタルサイネージ装置１において実行されるビーコン情報送信処理Ｂのフローチャートを示す。ビーコン情報送信処理Ｂは、デジタルサイネージ装置１の電源がＯＮとなった際に、制御部２３とプログラム記憶部２５１に記憶されているプログラムとの協働により実行される。
【００６７】
まず、制御部２３は、スケジュールに従って、プロジェクタ２４及び音声出力部３３によりコンテンツの出力を開始する（ステップＳ２１）。ステップＳ２１の処理はステップＳ１の処理と同様であるので説明を援用する。
【００６８】
次いで、制御部２３は、ビーコン設定情報記憶部２５３を参照し、ビーコン発信部３１のビーコン３１４にコンテンツに応じたＩＤ情報を設定する（ステップＳ２２）。
【００６９】
次いで、制御部２３は、ビーコン発信部３１のビーコン３１４により、設定したＩＤ情報を含むビーコン情報を予め定められた送信強度でブロードキャストさせる（ステップＳ２３）。
【００７０】
次いで、制御部２３は、コンテンツが終了したか否かを判断する（ステップＳ２４）。コンテンツが終了していないと判断した場合（ステップＳ２４；ＮＯ）、制御部２３は、ステップＳ２３に戻り、所定時間間隔でのビーコン情報のブロードキャストを繰り返し実行する。コンテンツが終了したと判断した場合（ステップＳ２４；ＹＥＳ）、制御部２３は、ステップＳ２１に戻る。
【００７１】
制御部２３は、デジタルサイネージ装置１の電源がＯＮの間、ステップＳ２１〜ステップＳ２４の処理を繰り返し実行する。
【００７２】
次に、携帯端末２の動作について説明する。
図１０に、携帯端末２において実行されるクーポン表示処理Ｂのフローチャートを示す。クーポン表示処理Ｂは、携帯端末２の電源がＯＮとなった際に、制御部２０１とプログラム記憶部２２１に記憶されているビーコンアプリとの協働により実行される。
【００７３】
まず、制御部２０１は、ビーコン受信部２０６によりビーコン情報が受信されるのを待機する（ステップＳ３１）。
ビーコン受信部２０６によりビーコン情報が受信されると（ステップＳ３１；ＹＥＳ）、制御部２０１は、ビーコン受信部２０６からビーコン情報の受信時の受信強度を取得し（ステップＳ３２）、受信したビーコン情報に含まれる少なくともＩＤ情報と取得した受信強度を通信部２０５によりサーバ装置３に送信し、クーポン情報の送信要求を行う（ステップＳ３３）。
【００７４】
次いで、制御部２０１は、通信部２０５によりサーバ装置３からのクーポン情報が受信されるのを待機する（ステップＳ３４）。
通信部２０５によりサーバ装置３からのクーポン情報が受信されたと判断した場合（ステップＳ３４；ＹＥＳ）、制御部２０１は、受信したクーポン情報を表示部２０４に表示させ（ステップＳ３５）、ステップＳ３１に戻る。
なお、表示されたクーポン情報は、操作部２０３からの操作に応じて記憶部２０２に記憶される。
【００７５】
制御部２０１は、携帯端末２の電源がＯＮの間、ステップＳ３１〜ステップＳ３５の処理を繰り返し実行する。
【００７６】
図１１は、第２の実施形態におけるクーポン付与システム１００の動作イメージの一例を示す図である。
上述のように、デジタルサイネージ装置１における送信強度は一定であるため、携帯端末２がデジタルサイネージ装置１から離れているほどビーコン情報を受信したときの受信強度が低くなる。また、サーバ装置３の記憶部には、受信強度が高いほど高い割引率のクーポン情報のＩＤ情報が対応付けられ、受信強度が低いほど低い割引率のクーポン情報のＩＤ情報が対応付けられている。
【００７７】
携帯端末２のユーザがデジタルサイネージ装置１に近づいていくと、携帯端末２は、ビーコン３１４からブロードキャストされたビーコン情報を受信強度：低で受信し、サーバ装置３からビーコン情報に含まれるＩＤ情報及び受信強度：低に対応するクーポン情報を受信して、図１１に示すように、３０％割引のクーポンを表示部２０４に表示する。ここで、クーポン情報には、「サイネージに近づくともっとお得な情報がありますよ。」という、デジタルサイネージ装置１に近づくことにより更に有益なクーポン情報が得られることを通知する通知情報が含まれており、表示部２０４には、併せてこの通知情報が表示される。
【００７８】
携帯端末２のユーザが更にデジタルサイネージ装置１に近づくと、携帯端末２は、ビーコン３１４からブロードキャストされたビーコン情報を受信強度：中で受信し、サーバ装置３からビーコン情報に含まれるＩＤ情報及び受信強度：中に対応するクーポン情報を受信して、図１１に示すように、４０％割引のクーポンを表示部２０４に表示する。ここで、クーポン情報には、「サイネージに近づくともっとお得な情報がありますよ。」という、デジタルサイネージ装置１に近づくことにより更に有益なクーポン情報が得られることを通知する通知情報が含まれており、表示部２０４には、併せてこの通知情報が表示される。
【００７９】
携帯端末２のユーザが更にデジタルサイネージ装置１に近づくと、携帯端末２は、ビーコン３１４からブロードキャストされたビーコン情報を受信強度：高で受信し、サーバ装置３からビーコン情報に含まれるＩＤ情報及び受信強度に対応するクーポン情報を受信して、図１１に示すように、５０％割引のクーポンを表示部２０４に表示する。ここで、クーポン情報には、「サイネージの案内でもっとお得な情報があります。ぜひご覧ください！」という、デジタルサイネージ装置１のコンテンツを視聴することにより更に有益な情報が得られることを通知する通知情報が含まれており、表示部２０４には、併せてこの通知情報が表示される。
【００８０】
このように、携帯端末２がデジタルサイネージ装置１に近づくにつれて、よりお得度の増すクーポン情報が取得できるので、従来のように一律なクーポン情報を提供する場合に比べて、デジタルサイネージ装置１への誘導効果を向上させることができ、顧客である携帯端末２のユーザにデジタルサイネージ装置１の近くに来てもらうことが可能となる。
【００８１】
上記第２の実施形態においては、ビーコン情報を受信したときの受信強度に応じて取得できるクーポン情報の割引率を変える場合を例にとり説明したが、これに限定されず、例えばクーポン情報の対象商品を変えることとしてもよい。これにより、携帯端末２のユーザにとってデジタルサイネージ装置１に近づくことで割引できる商品の幅が広がるので、ユーザにデジタルサイネージ装置１の近くに来てもらうことができる。なお、この場合においても、クーポン情報には、「サイネージに近づくとよりお得な情報がありますよ。」等の通知情報を含むことが好ましい。
【００８２】
また、第２の実施形態では、全てのクーポン情報に通知情報を含めることとして説明したが、通知情報は、デジタルサイネージ装置１に近づくことにより別のクーポン情報が得られる場合、例えば、受信強度が所定の閾値より低い場合（即ち、携帯端末２が予め定められた閾値よりも離れている場合）に取得されるクーポン情報に含まれるようにすることが好ましい。
【００８３】
以上説明したように、第１の実施形態におけるクーポン付与システム１００のデジタルサイネージ装置１によれば、複数種類のクーポン情報に対応する複数種類のビーコン情報をブロードキャストするビーコン発信部３１を備え、制御部２３は、ビーコン発信部３１において複数種類のビーコン情報のそれぞれをブロードキャストする際の送信条件をブロードキャストするビーコン情報に応じて変更する。
従って、例えば、ビーコン情報を送信する送信強度や送信方向等の送信条件をビーコン情報に対応するクーポン情報の種類によって変えることで、顧客がデジタルサイネージ装置１の近くや前に来るように促すことができ、ビーコン情報による顧客の誘導効果を向上させることができる。
【００８４】
例えば、制御部２３は、ビーコン発信部３１においてブロードキャストするビーコン情報に対応するクーポン情報の割引率が高いほど、ビーコン情報の送信強度を低い強度に変更する。従って、ビーコン発信部３１が設けられたデジタルサイネージ装置１に近づくにつれて高い割引率のクーポン情報を取得することができるため、顧客がデジタルサイネージ装置１の近くに来るように促すことができ、ビーコン情報による顧客の誘導効果を向上させることができる。
【００８５】
また、例えば、制御部２３は、ビーコン発信部３１においてブロードキャストするビーコン情報に対応するクーポン情報の対象商品に応じて、ビーコン情報の送信強度を変更する。従って、ビーコン発信部３１が設けられたデジタルサイネージ装置１に近づくことによって幅広い商品のクーポン情報を取得することができるため、顧客がデジタルサイネージ装置１の近くに来るように促すことができ、ビーコン情報による顧客の誘導効果を向上させることができる。
【００８６】
また、例えば、デジタルサイネージ装置１に近づくことにより更に有益なクーポン情報が得られることを通知する通知情報をクーポン情報に含めることで、顧客がデジタルサイネージ装置１の近くに更に近づくように促すことができるため、ビーコン情報による顧客の誘導効果を向上させることができる。
また、例えば、通知情報は、所定の閾値より高い送信強度で送信されるビーコン情報に対応するクーポン情報に含まれるようにすることで、デジタルサイネージ装置１の遠くにいる顧客がデジタルサイネージ装置１に近づくように誘導することができる。
【００８７】
また、第２の実施形態におけるクーポン付与システム１００の携帯端末２によれば、ビーコン情報を受信するとともに、ビーコン情報の受信時の受信強度を検出するビーコン受信部２０６を備え、制御部２０１は、受信したビーコン情報及び受信強度に応じて異なるクーポンをサーバ装置３から取得する。従って、ビーコン情報の受信強度に応じて異なるクーポン情報を取得することができるので、顧客がビーコン情報の送信元であるデジタルサイネージ装置１の近くに来るように促すことができ、ビーコン情報による顧客の誘導効果を向上させることができる。
【００８８】
例えば、制御部２０１は、ビーコン情報の受信強度が高いほど、割引率の高いクーポン情報を取得するようにすることで、顧客がビーコン情報の発信元であるデジタルサイネージ装置１の近くに来るように促すことができ、ビーコン情報による顧客の誘導効果を向上させることができる。
【００８９】
また、例えば、制御部２０１は、ビーコン情報の受信強度に応じて異なる対象商品のクーポン情報を取得するようにすることで、顧客がビーコン情報の発信元であるデジタルサイネージ装置１の近くに更に近づくように促すことができるため、ビーコン情報による顧客の誘導効果を向上させることができる。
【００９０】
また、例えば、デジタルサイネージ装置１に近づくことにより更に有益なクーポン情報が得られることを通知する通知情報をクーポン情報に含めることで、顧客がデジタルサイネージ装置１の近くに更に近づくように促すことができるため、ビーコン情報による顧客の誘導効果を向上させることができる。
また、例えば、通知情報は、所定の閾値より低い受信強度に応じて取得されるクーポン情報に含まれるようにすることで、デジタルサイネージ装置１の遠くにいる顧客がデジタルサイネージ装置１に近づくように誘導することができる。
【００９１】
なお、上記実施形態における記述内容は、本発明に係るクーポン付与システムの好適な一例であり、これに限定されるものではない。
【００９２】
例えば、上記実施形態においては、携帯端末２でビーコン情報を受信した際に、受信したビーコン情報に含まれるＩＤ情報（又は、ＩＤ情報及び受信強度）をサーバ装置３に送信し、サーバ装置３からクーポン情報を取得する場合を例にとり説明したが、ビーコンアプリにＩＤ情報（又は、ＩＤ情報及び受信強度）に対応するクーポン情報を記憶しておき、サーバ装置３を介さずにビーコンアプリ内でクーポン情報を取得することとしてもよい。
【００９３】
その他、クーポン付与システムを構成する各装置の細部構成及び細部動作に関しても、発明の趣旨を逸脱することのない範囲で適宜変更可能である。
【００９４】
本発明のいくつかの実施形態を説明したが、本発明の範囲は、上述の実施形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
［付記］
＜請求項１＞
複数種類のクーポン情報に対応する複数種類のビーコン情報をブロードキャストする送信手段と、
前記送信手段により前記複数種類のビーコン情報のそれぞれをブロードキャストする際の送信条件をブロードキャストするビーコン情報に応じて変更する送信条件変更手段と、
を備えるビーコン送信装置。
＜請求項２＞
前記複数種類のクーポン情報は、割引率の異なる複数のクーポン情報であり、
前記送信条件は、前記ビーコン情報の送信強度であり、
前記送信条件変更手段は、前記ブロードキャストするビーコン情報に対応するクーポン情報の割引率が高いほど、前記送信手段による前記ビーコン情報の送信強度を低い強度に変更する請求項１に記載のビーコン送信装置。
＜請求項３＞
前記複数種類のクーポン情報は、対象商品が異なる複数のクーポン情報であり、
前記送信条件は、前記ビーコン情報の送信強度であり、
前記送信条件変更手段は、前記ブロードキャストするビーコン情報に対応するクーポン情報の対象商品に応じて、前記送信手段による前記ビーコン情報の送信強度を変更する請求項１に記載のビーコン送信装置。
＜請求項４＞
前記ビーコン送信装置は、コンテンツを表示する表示装置に備えられており、
前記送信条件変更手段は、一つのコンテンツが表示されている期間に前記複数種類のビーコン情報のそれぞれをブロードキャストする際の送信条件をブロードキャストするビーコン情報に応じて変更することを特徴とする請求項１〜３の何れか一項に記載のビーコン送信装置。
＜請求項５＞
前記クーポン情報には、前記表示装置に近づくことにより更に有益なクーポン情報が得られることを通知する通知情報が含まれる請求項４に記載のビーコン送信装置。
＜請求項６＞
前記通知情報は、所定の閾値より高い送信強度で送信されるビーコン情報に対応するクーポン情報に含まれる請求項５に記載のビーコン送信装置。
＜請求項７＞
ビーコン情報を受信する受信手段と、  
前記ビーコン情報の受信時の受信強度を検出する検出手段と、  
前記ビーコン情報及び前記受信強度に応じて異なるクーポン情報を取得する取得手段と、
を備える通信装置。
＜請求項８＞
前記取得手段は、前記受信強度が高いほど、割引率の高いクーポン情報を取得する請求項７に記載の通信装置。
＜請求項９＞
前記取得手段は、前記受信強度に応じて異なる対象商品のクーポン情報を取得する請求項７に記載の通信装置。
＜請求項１０＞
前記ビーコン情報は、コンテンツを表示する表示装置に備えられたビーコン送信装置から発信されたものであり、
前記クーポン情報には、前記表示装置に近づくことにより更に有益なクーポン情報が得られることを通知する通知情報が含まれる請求項７〜９の何れか一項に記載の通信装置。
＜請求項１１＞
前記通知情報は、所定の閾値より低い受信強度に応じて取得されるクーポン情報に含まれる請求項１０に記載の通信装置。
＜請求項１２＞
複数種類のクーポン情報に対応する複数種類のビーコン情報をブロードキャストする際の送信条件をブロードキャストするビーコン情報に応じて変更する工程と、
前記変更した送信条件で前記複数種類のビーコン情報をブロードキャストする工程と、
を含むビーコン送信方法。
＜請求項１３＞
ビーコン情報を受信する工程と、  
前記ビーコン情報の受信時の受信強度を検出する工程と、  
前記ビーコン情報及び前記受信強度に応じて異なるクーポン情報を取得する工程と、
を含むクーポン取得方法。
＜請求項１４＞
コンピュータを、
複数種類のクーポン情報に対応する複数種類のビーコン情報をブロードキャストする送信手段、
前記送信手段により前記複数種類のビーコン情報をブロードキャストする際の送信条件をブロードキャストするビーコン情報に応じて変更する送信条件変更手段、
として機能させるためのプログラム。
＜請求項１５＞
コンピュータを、
ビーコン情報を受信する受信手段、  
前記ビーコン情報の受信時の受信強度を検出する検出手段、  
前記ビーコン情報及び前記受信強度に応じて異なるクーポン情報を取得する取得手段、
として機能させるためのプログラム。
【符号の説明】
【００９５】
１  デジタルサイネージ装置
２１  投影部
２２  スクリーン部
２３  制御部
２４  プロジェクタ
２５  記憶部
２５１  プログラム記憶部
２５２  コンテンツ記憶部
２５３  ビーコン設定情報記憶部
２６  通信部
２７  画像形成部
２８  台座
２９  透光板
３１  ビーコン発信部
３２  操作部
３３  音声出力部
２  携帯端末
２０１  制御部
２０２  記憶部
２２１  プログラム記憶部
２０３  操作部
２０４  表示部
２０５  通信部
２０６  ビーコン受信部
２０７  計時部
３  サーバ装置
【図１】
2017156857.tif 000003
【図２】
2017156857.tif 000004
【図３】
2017156857.tif 000005
【図４】
2017156857.tif 000006
【図５】
2017156857.tif 000007
【図６】
2017156857.tif 000008
【図７】
2017156857.tif 000009
【図８】
2017156857.tif 000010
【図９】
2017156857.tif 000011
【図１０】
2017156857.tif 000012
【図１１】
2017156857.tif 000013